(57)【要約】【課題】表層材製品のシミュレーション画像と実物との間の見映えの違いを抑制する技術を提供する。【解決手段】情報処理装置１０は、印刷装置を用いて製造される表層材製品の選択支援用の装置である。情報処理装置１０は、印刷装置を用いて製造される表層材製品の基準データを取得するデータ取得部１１０と、表層材製品の表面の特性と表層材製品の設置場所の環境特性とに基づく光学解析の結果を用いた第１の変換処理を表層材製品の基準データに施して、ディスプレイ装置用の表示データを得る第１データ変化部１２０と、を備える。【選択図】図２
2018128352.tif 000002
【特許請求の範囲】
【請求項１】
印刷装置を用いて製造される表層材製品の基準データを取得するデータ取得部と、
前記表層材製品の表面の特性と前記表層材製品の設置場所の環境特性とに基づく光学解析の結果を用いた第１の変換処理を前記表層材製品の基準データに施して、ディスプレイ装置用の表示データを得る第１データ変化部と、
を備える情報処理装置。
【請求項２】
請求項１に記載の情報処理装置において、
前記表層材製品の製造過程で生じる当該表層材製品の色変化を予測するためのデータを用いて前記色変化を打ち消す第２の変換処理を前記表層材製品の基準データに施して、前記印刷装置用の印刷データを得る第２データ変化部を更に備える情報処理装置。
【請求項３】
請求項１に記載の情報処理装置において、
前記データ取得部は、前記基準データとして前記表層材製品の印刷データを取得し、
前記第１データ変化部は、前記第１の変換処理と共に、前記表層材製品の製造過程で生じる当該表層材製品の色変化を予測するためのデータを用いて前記色変化を反映する第３の変換処理を前記印刷データに施して、前記表示データを得る情報処理装置。
【請求項４】
印刷装置を用いて製造される表層材製品の基準データを取得するデータ取得部と、
前記表層材製品の製造過程で生じる当該表層材製品の色変化を予測するためのデータを用いて前記色変化を打ち消す変換処理を前記表層材製品の基準データに施して、前記印刷装置用の印刷データを得るデータ変化部と、
を備える情報処理装置。
【請求項５】
前記ディスプレイ装置用の表示データの各画素値は、前記印刷装置で使用されているカラープロファイルに基づいて設定されている、
請求項１乃至４のいずれか１項に記載の情報処理装置。
【請求項６】
コンピュータが、
印刷装置を用いて製造される表層材製品の基準データを取得する工程と、
前記表層材製品の表面の特性と前記表層材製品の設置場所の環境特性とに基づく光学解析の結果を用いた第１の変換処理を前記表層材製品の基準データに施して、ディスプレイ装置用の表示データを得る工程と、
を含む情報処理方法。
【請求項７】
コンピュータが、
印刷装置を用いて製造される表層材製品の基準データを取得する工程と、
前記表層材製品の製造過程で生じる当該表層材製品の色変化を予測するためのデータを用いて前記色変化を打ち消す変換処理を前記表層材製品の基準データに施して、前記印刷装置用の印刷データを得る工程と、
を含む情報処理方法。
【請求項８】
コンピュータを、
印刷装置を用いて製造される表層材製品の基準データを取得する手段、及び、
前記表層材製品の表面の特性と前記表層材製品の設置場所の環境特性とに基づく光学解析の結果を用いた第１の変換処理を前記表層材製品の基準データに施して、ディスプレイ装置用の表示データを得る手段、
として機能させるためのプログラム。
【請求項９】
コンピュータを、
印刷装置を用いて製造される表層材製品の基準データを取得する手段、及び、
前記表層材製品の製造過程で生じる当該表層材製品の色変化を予測するためのデータを用いて前記色変化を打ち消す変換処理を前記表層材製品の基準データに施して、前記印刷装置用の印刷データを得る手段、
として機能させるためのプログラム。
【発明の詳細な説明】
【技術分野】
【０００１】
本発明は、内装や外装に用いられる表層材製品の選択を支援するための情報処理装置、情報処理方法、およびプログラムに関する。
【背景技術】
【０００２】
ユーザーがデザインの良し悪しを判断する材料として、内装や外装のシミュレーション結果をディスプレイに表示する技術が利用されている。例えば、下記非特許文献１乃至非特許文献４には、選択した化粧板（床材など）を、対象とする部屋や建造物の内装空間に適用した結果を表示する技術が開示されている。特に、非特許文献３では、２つの表示領域で異なるデザインを比較することを可能とする技術が開示されている。
【先行技術文献】
【非特許文献】
【０００３】
【非特許文献１】DAIKEN、“空間シミュレーション”、［online］、［平成２８年１０月５日検索］、インターネット＜URL：https://www.daiken.jp/interior/>
【非特許文献２】日立ビルシステム、“デザインシミュレーション”、［online］、［平成２８年１０月５日検索］、インターネット＜URL：http://www.hbs.co.jp/products/urban/em/elevator/standard/ua/design/simulation/index.html＞
【非特許文献３】YKKaP、“商品シミュレーション”、［online］、［平成２８年１１月１４日検索］、インターネット＜URL：https://www.ykkap.co.jp/products/interior_material/simulation/＞
【非特許文献４】TOPPAN、“３６０°空間シミュレータ” ［online］、［平成２８年１１月１４日検索］、インターネット＜URL：http://www.toppan.co.jp/solution/service/service_088.html＞
【発明の概要】
【発明が解決しようとする課題】
【０００４】
しかしながら、表層材を施工したときの実際のデザインが、シミュレーション画像を通じて顧客がイメージしたデザインと異なっていると、実際に施工した状態から受ける印象の違いに顧客が戸惑ってしまう。よって、シミュレーション画像を用いて表層材を比較および検討する際に、実際に施工した状態により近い状態を確認可能とする技術が望まれる。
【０００５】
本発明は上述の課題に鑑みてなされたものであり、その目的は、表層材製品のシミュレーション画像と実物との間の見映えの違いを抑制する技術を提供することにある。
【課題を解決するための手段】
【０００６】
本発明によれば、
印刷装置を用いて製造される表層材製品の基準データを取得するデータ取得部と、
前記表層材製品の表面の特性と前記表層材製品の設置場所の環境特性とに基づく光学解析の結果を用いた第１の変換処理を前記表層材製品の基準データに施して、ディスプレイ装置用の表示データを得る第１データ変化部と、
を備える情報処理装置が提供される。
【０００７】
本発明によれば、
印刷装置を用いて製造される表層材製品の基準データを取得するデータ取得部と、
前記表層材製品の製造過程で生じる当該表層材製品の色変化を予測するためのデータを用いて前記色変化を打ち消す変換処理を前記表層材製品の基準データに施して、前記印刷装置用の印刷データを得るデータ変化部と、
を備える情報処理装置が提供される。
【０００８】
本発明によれば、
コンピュータが、
印刷装置を用いて製造される表層材製品の基準データを取得する工程と、
前記表層材製品の表面の特性と前記表層材製品の設置場所の環境特性とに基づく光学解析の結果を用いた第１の変換処理を前記表層材製品の基準データに施して、ディスプレイ装置用の表示データを得る工程と、
を含む情報処理方法が提供される。
【０００９】
本発明によれば、
コンピュータが、
印刷装置を用いて製造される表層材製品の基準データを取得する工程と、
前記表層材製品の製造過程で生じる当該表層材製品の色変化を予測するためのデータを用いて前記色変化を打ち消す変換処理を前記表層材製品の基準データに施して、前記印刷装置用の印刷データを得る工程と、
を含む情報処理方法が提供される。
【００１０】
本発明によれば、
コンピュータを、
印刷装置を用いて製造される表層材製品の基準データを取得する手段、及び、
前記表層材製品の表面の特性と前記表層材製品の設置場所の環境特性とに基づく光学解析の結果を用いた第１の変換処理を前記表層材製品の基準データに施して、ディスプレイ装置用の表示データを得る手段、
として機能させるためのプログラムが提供される。
【００１１】
本発明によれば、
コンピュータを、
印刷装置を用いて製造される表層材製品の基準データを取得する手段、及び、
前記表層材製品の製造過程で生じる当該表層材製品の色変化を予測するためのデータを用いて前記色変化を打ち消す変換処理を前記表層材製品の基準データに施して、前記印刷装置用の印刷データを得る手段、
として機能させるためのプログラムが提供される。
【発明の効果】
【００１２】
本発明によれば、表層材製品のシミュレーション画像と実物との間の見映えの違いを抑制する技術を提供できる。
【図面の簡単な説明】
【００１３】
【図１】本発明に関連する業務の全体像を概略的に例示する図である。
【図２】第１実施形態の情報処理装置の機能構成を概念的に示すブロック図である。
【図３】情報処理装置のハードウエア構成を例示する図である。
【図４】第１実施形態における情報処理装置の処理の流れを例示するフローチャートである。
【図５】第２実施形態の情報処理装置の機能構成を概念的に示すブロック図である。
【図６】第２実施形態における情報処理装置の処理の流れを例示するシーケンス図である。
【図７】第３実施形態における情報処理装置の処理の流れを例示するフローチャートである。
【図８】第３実施形態で準備された表示データを用いた処理の一例を示すシーケンス図である。
【図９】第４実施形態における情報処理装置の機能構成を概念的に示すブロック図である。
【図１０】第４実施形態における情報処理装置の処理の流れを例示するフローチャートである。
【発明を実施するための形態】
【００１４】
［概要説明］
本発明は、例えば、内装や外装のデコレーションなどに用いられる表層材製品の選択支援に活用できる。まず、本発明に関連する業務の全体像について図１を用いて説明する。図１は、本発明に関連する業務の全体像を概略的に例示する図である。
【００１５】
顧客は、多くの場合、表層材製品を実際に施工したときのイメージをつかむために、施工場所にその表層材製品を配置した状態を再現したシミュレーション画像を確認する。このようなシミュレーション画像は、端末２０上に表示される。端末２０は、例えば、企業の営業担当者或いは顧客自身が所有する端末である。そして、顧客は、シミュレーション画像を見て気に入った表層材製品を企業に注文する。
【００１６】
顧客からの注文は企業の製造現場に送られ、この注文に応じて表層材製品が製造される。表層材製品は、企業の製造現場に配置される印刷装置３０を用いて、概ね以下のような流れで製造される。
【００１７】
まず、印刷装置３０は、顧客の注文に対応する印刷要求を受け付ける。印刷要求には、表層材製品の模様（地色や柄など）の印刷パターンを定義する印刷データが含まれており、印刷装置３０は、印刷要求に含まれる印刷データを用いて、その印刷データにより定義される表層材製品の模様を印刷した印刷紙を出力する。
【００１８】
次に、この印刷紙に様々な加工が施されることによって、表層材製品が完成する。具体的には、注文された表層材製品の特性に合わせて、印刷紙にコーティング材料などを含浸させたり、表面に凹凸を成形したりすることによって、表層材製品が完成する。なお、この加工処理において使用されるコーティング材料の種類、コーティング層の数や各層の厚さ、及び、表面に成形された凹凸などが、表層材製品の表面の光学的特性（例えば、吸収する光の波長や光の反射状態など）に影響を与える。特に吸収する光の波長が変わることによって、印刷装置３０から出力される印刷紙と当該印刷紙を加工処理して完成する表層材製品との間で、見た目の色（見映え）に違いが表れる。
【００１９】
また、上述のように製造された表層材製品は顧客が所望する施工場所に配置されることになる。このとき、施工場所の環境の特性（施工場所の形状、施工場所に存在する光源の特性など）、並びに、上述の表層材製品の表面における光の反射特性が、表層材製品の見映えに更に影響を与える。
【００２０】
ここで、端末２０上で表示された表層材製品の施工時のシミュレーション画像が、実際に施工された表層材製品の見映えを精度よく再現できていない場合、画像から受けたイメージとの違いに顧客が困惑し、結果として顧客満足度が低下してしまう虞がある。
【００２１】
以下の各実施形態において、このような問題を解消する技術を提供する本発明を説明する。本発明は、以下の各実施形態で説明される機能によって、印刷装置３０を用いて製造される表層材製品が施工環境下に置かれたときの見た目と、端末２０上で表示される表示データ（シミュレーション画像）における表層材製品の見た目との相違を抑制する。また、以下の各実施形態のすべての図面において、同様な構成要素には同様の符号を付し、適宜説明を省略する。また各ブロック図において、特に説明がない限り、各ブロックは、ハードウエア単位の構成ではなく機能単位の構成を表している。
【００２２】
［第１実施形態］
本実施形態では、端末２０上で表示する表示データに対する処理について例示的に説明する。
【００２３】
〔機能構成〕
図２は、第１実施形態の情報処理装置１０の機能構成を概念的に示すブロック図である。図２に示されるように、本実施形態の情報処理装置１０は、データ取得部１１０及び第１データ変化部１２０を備える。
【００２４】
データ取得部１１０は、印刷装置３０を用いて製造される表層材製品の基準データを取得する。「表層材製品の基準データ」は、例えば色や模様といった、表層材製品の見た目を示すデータである。
【００２５】
第１データ変化部１２０は、データ取得部１１０が取得した表層材製品の基準データに第１の変換処理を施して、端末２０（ディスプレイ装置）用の表示データを得る。ここで得られる表示データは、施工環境下に表層材製品を配置した状態を再現するシミュレーション画像を表示するためのデータである。ここで、本実施形態における第１の変換処理は、表層材製品の表面の特性と表層材製品の設置場所の環境特性とに基づく光学解析の結果を用いて、基準データの色情報を変換する処理である。
【００２６】
第１データ変化部１２０は、例えば、表層材製品を配置する場所（以下、“施工場所”と表記）の形状、当該施工場所における表層材製品の配置領域、当該施工場所における視点といった施工対象の特性を示すデータ、光源から照射される光の強度分布や光源の色温度といった光源の特性を示すデータ、並びに、表層材製品の表面の柄、色、および、凹凸といった表層材製品の表面における光の反射状態に関わる特性を示すデータをそれぞれ解析用パラメータとして用いて、表層材製品を施工対象内の配置領域に配置した状態を再現する表示データを得ることができる。ここで得られる表示データは、当該表示データに対応する解析用パラメータと紐付けられて所定の記憶部（図示せず）に記憶される。これにより、それぞれの特性を示すパラメータを用いて、対応する表示データを検索および読み出し可能な環境が整う。
【００２７】
ここで、表示データの各画素値は、印刷装置３０で使用される色域（カラープロファイル）を基に設定してもよい。この場合、印刷装置３０で使用しているカラープロファイルは、例えば情報処理装置１０のメモリなどに予めインプットされており、第１データ変化部１２０は、そのカラープロファイルに基づいて、表示データの各画素値を設定することができる。印刷装置３０で使用されるカラープロファイルを基に画素値が設定された表示データを表示する際、端末２０のディスプレイのカラープロファイルを印刷装置３０で使用するカラープロファイルに合わせることによって、シミュレーションにおける表層材製品の見た目を現実の見た目（色合い）に近づけることができる。
【００２８】
〔ハードウエア構成〕
情報処理装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、図３を用いて、情報処理装置１０がハードウエアとソフトウエアとの組み合わせで実現される場合について、さらに説明する。図３は、情報処理装置１０のハードウエア構成を例示する図である。
【００２９】
情報処理装置１０は、バス１０１、プロセッサ１０２、メモリ１０３、ストレージデバイス１０４、入出力インタフェース１０５、及びネットワークインタフェース１０６を有する。バス１０１は、プロセッサ１０２、メモリ１０３、ストレージデバイス１０４、入出力インタフェース１０５、及びネットワークインタフェース１０６が、相互にデータを送受信するためのデータ伝送路である。ただし、プロセッサ１０２などを互いに接続する方法は、バス接続に限定されない。プロセッサ１０２は、マイクロプロセッサなどを用いて実現される演算処理装置である。メモリ１０３は、ＲＡＭ（Random Access Memory）などを用いて実現されるメモリである。ストレージデバイス１０４は、ＲＯＭ（Read Only Memory）やフラッシュメモリなどを用いて実現されるストレージデバイスである。
【００３０】
入出力インタフェース１０５は、情報処理装置１０を入出力用デバイスと接続するためのインタフェースである。入出力インタフェース１０５には、例えば、マウス、キーボードなどの入力装置１０５１や、ＣＲＴ（Cathode Ray Tube）ディスプレイやＬＣＤ（Liquid Crystal Display）などのディスプレイ装置１０５２、これら入力装置１０５１とディスプレイ装置１０５２が一体化したタッチパネルなどが接続される。その他、入出力インタフェース１０５は、例えばＵＳＢ（Universal Serial Bas）ポートなど、図示しないポータブルデバイス（例えば、ＵＳＢメモリ、ポータブルＨＤＤなど）との通信用インタフェースを更に含んでいてもよい。
【００３１】
ネットワークインタフェース１０６は、情報処理装置１０を通信網に接続するためのインタフェースである。情報処理装置１０は、ネットワークインタフェース１０６を介して、端末２０、印刷装置３０、および、その他の外部装置などと通信することができる。
【００３２】
ストレージデバイス１０４は、第１実施形態の情報処理装置１０の各機能構成部（データ取得部１１０及び第１データ変化部１２０）を実現するためのプログラムモジュールを記憶している。プロセッサ１０２は、このプログラムモジュールをメモリ１０３に読み出して実行することで、第１実施形態の情報処理装置１０の各機能構成部の機能を実現する。
【００３３】
〔動作例〕
以下、図４を用いて、第１実施形態における処理の流れについて説明する。図４は、第１実施形態における情報処理装置１０の処理の流れを例示するフローチャートである。図４の処理では、端末２０で利用される表層材製品の表示データが所定の記憶部（図中の表示データ記憶部４０）に準備される。
【００３４】
情報処理装置１０のデータ取得部１１０は、表層材製品の基準データを取得する（Ｓ１０２）。情報処理装置１０のデータ取得部１１０は、例えば、ネットワークインタフェース１０６を介して外部の端末と通信し、表層材製品の基準データを取得することができる。また例えば、データ取得部１１０は、入出力インタフェース１０５を介して、ＵＳＢメモリや光学メディアなどの記憶媒体に記憶されている表層材製品の基準データを取得することができる。
【００３５】
情報処理装置１０のデータ取得部１１０は、Ｓ１０２で取得した表層材製品の基準データに第１の変換処理を施して、端末２０（ディスプレイ）用の表示データを得る（Ｓ１０４）。一例として、データ取得部１１０は、施工場所の形状、当該施工場所における表層材製品の配置領域、当該施工場所における視点といった施工対象の特性を示すデータ、光源から照射される光の強度分布や光源の色温度といった光源の特性を示すデータ、並びに、表層材製品の表面の柄、色、および、凹凸といった表層材製品の表面における光の反射状態に関わる特性を示すデータをそれぞれ解析用パラメータとして用いて、表層材製品を施工対象内の配置領域に配置した状態を再現する表示データを得ることができる。ここで、情報処理装置１０のデータ取得部１１０は、表示データの各ピクセルに設定する色値を、印刷装置３０で使用されるカラープロファイル（色域）に基づいて設定することができる。
【００３６】
情報処理装置１０のデータ取得部１１０は、Ｓ１０４で生成された表示データを、表示データ記憶部４０に記憶させる（Ｓ１０６）。なお、表示データ記憶部４０は、情報処理装置１０、端末２０、又は、図示しない外部装置のストレージ（ＨＤＤ、ＳＳＤ、フラッシュメモリなど）に備えられている。
【００３７】
以上の処理により、端末２０上で利用される表層材製品の表示データが準備される。
【００３８】
＜作用・効果＞
以上、本実施形態では、ディスプレイ装置上で表層材製品を再現表示するための表示データが生成され、所定の記憶部に記憶される。この表示データは、表層材製品の見た目を示す基準データに対して、施工環境下の特性（例えば、光源から照射される光の強度分布や光源の色温度といった光源の特性や、表層材製品の表面の柄、色、および、凹凸といった表層材製品の表面における光の反射状態に関わる特性）を反映させることによって得られる。この表示データを基に表示されるシミュレーション画像での表層材製品の見映えは、施工環境下に配置された表層材製品の実物の見映えに近づく。つまり、本実施形態において生成される表示データを用いることによって、画面上で再現された表層材製品と施工環境下にある表層材製品の実物との見映えの違いによって、顧客が困惑するといった問題を防止することができる。
【００３９】
さらに、表層材製品のシミュレーション画像の見映えと表層材製品の実物の見映えが近づくことにより、顧客のイメージに近い製品を提供することができるため、顧客満足度の向上効果が期待できる。また、このようにすることで、多数のサンプル品を作成するコストや工数を削減する効果も見込める。加えて、顧客のイメージに合うように表層材製品を作り直す作業の発生を抑制することができるため、製品の短納期化といった効果も見込める。
【００４０】
［第２実施形態］
本実施形態では、顧客から提供される画像を基にしたオーダーメイドの表層材製品を扱う場合について例示的に説明する。本実施形態は、以下の点を除き、第１実施形態と同様の構成を備える。
【００４１】
〔機能構成〕
図５は、第２実施形態の情報処理装置１０の機能構成を概念的に示すブロック図である。図５に示されるように、本実施形態の情報処理装置１０は、第１実施形態の構成に加えて、第２データ変化部１３０を更に備える。
【００４２】
第２データ変化部１３０は、データ取得部１１０が取得した表層材製品の基準データに第２の変換処理を施して、印刷装置３０用の印刷データを得る。ここで、第２の変換処理は、表層材製品の製造過程で生じる当該表層材製品の色変化を予測するためのデータを用いて、その色変化を打ち消す方向に基準データの色情報を変換する処理である。色変化を予測するためのデータは、例えば、表層材製品を試験的に製造することで集めることができる。色変化を予測するためのデータは、所定の記憶部（例えば、情報処理装置１０や情報処理装置１０と通信可能に接続された図示しないサーバ装置のストレージデバイスなど）に記憶されている。また、色変化を予測するためのデータは、例えば関数やテーブルといった形式で記憶されていてもよい。
【００４３】
また、本実施形態のデータ取得部１１０は、表層材製品の基準データとして、オーダーメイドの表層材製品の見た目（例えば、色や図柄など）を示す画像データを取得する。データ取得部１１０は、例えば、ネットワークまたはコンピュータで読み取り可能な非一時的な媒体を介して、画像データを取得することができる。
【００４４】
〔ハードウエア構成〕
本実施形態の情報処理装置１０は、第１実施形態と同様の構成（例：図３）を備える。本実施形態のストレージデバイス１０４は、第２データ変化部１３０の機能を実現するためのプログラムモジュールを更に記憶している。プロセッサ１０２は、このプログラムモジュールをメモリ１０３に読み出して実行することで、第２データ変化部１３０の機能を実現する。
【００４５】
〔動作例〕
図６を用いて、第２実施形態における情報処理装置１０の処理の流れについて説明する。図６は、第２実施形態における情報処理装置１０の処理の流れを例示するシーケンス図である。本実施形態では、図６の処理の前に、図４のフローチャートにおける処理が実行される。図６の処理では、図４で準備された表層材製品の表示データが端末２０上に表示される。また図６の処理では、顧客が表示データを見て気に入った表層材製品の注文から製造まで一連の処理が実行される。
【００４６】
端末２０は、インストールされたアプリケーションやＷｅｂブラウザなどを介して、表示データの検索条件の入力を受け付ける（Ｓ２０２）。ここで入力される条件は、例えば、施工環境下の特性（施工場所の形状、施工場所での視点、光源の有無、光源の種類など）や表層材製品の特性（例えば、表面の特性（色、柄、凹凸など）示すパラメータなど）といった、表示データに対応する解析用パラメータである。端末２０は、入力された検索条件と合致する表示データ（入力に合致する解析用パラメータに紐付けられた表示データ）を表示データ記憶部４０の中から検索する（Ｓ２０４）。端末２０は、表示データ記憶部４０から読み出した表示データを、端末２０のディスプレイ上に表示する（Ｓ２０６）。
【００４７】
顧客は、気に入った表層材製品が見つかるまでＳ２０２〜Ｓ２０６の処理を端末２０上で繰り返し実行し、最終的に注文する表層材製品を決定することができる。注文する表層材製品が決まった場合、印刷装置３０を用いて実際に表層材製品を製造するための注文情報が、情報処理装置１０に送信される（Ｓ２０８）。この注文情報には、表層材製品の特徴（例えば地色、柄、表面の凹凸の度合いなど）を示す情報が少なくとも含まれている。なお、注文情報は、端末２０から情報処理装置１０に直接送信されず、情報処理装置１０の入出力インタフェース１０５に接続された入力装置などを介して入力されてもよい。
【００４８】
情報処理装置１０の第２データ変化部１３０は、Ｓ２０８の注文情報に基づいて、表層材製品の基準データに第２の変換処理を施して、印刷装置３０用の印刷データを得る（Ｓ２１０）。一例として、第２データ変化部１３０は以下のように動作する。まず、第２データ変化部１３０は、メモリやストレージデバイス１０４に記憶されている、色変化を予測するためのデータを読み出す。次いで、第２データ変化部１３０は、製造過程における色変化によって表層材製品の実物の見た目がデータ取得部１１０により取得した画像データの見た目に近づくような印刷データを、色変化を予測するためのデータに基づいて逆算する。なお本図の例で、情報処理装置１０の第２データ変化部１３０は、Ｓ２０８の注文情報の受信をトリガとして第２の変換処理を実行しているが、これに限らず、注文情報を受信する前（例えば、図４のＳ１０２処理で基準データを取得したときなど）に、第２の変換処理を予め実行して印刷データを準備していてもよい。
【００４９】
そして、情報処理装置１０は、Ｓ２１０の処理で得られた印刷データを含む印刷要求を印刷装置３０に出力する（Ｓ２１２）。
【００５０】
印刷装置３０は、印刷要求に含まれる印刷データを用いて、表層材製品を製造するための印刷紙を印刷する（Ｓ２１４）。印刷装置３０により印刷された印刷紙は、注文情報に応じた加工処理が施されて最終的な表層材製品となった後、施工場所に配置される。
【００５１】
＜作用・効果＞
本実施形態において、印刷データは、顧客から提供された画像データに対して、表層材製品の製造過程で生じる色変化を打ち消す方向の色変換処理を施して得られる。ここで、顧客にとって、提供した画像データは、顧客の考える表層材製品を示すものとなる。本実施形態の印刷データでは、製造過程で生じる色変化が予め逆算されている。つまり、本実施形態において生成される印刷データを用いることによって、印刷装置３０から出力される印刷紙を加工して製造される表層材製品の見映えを、顧客から提供された画像データにおける見映えに近づけることができる。これにより、画面上で再現された表層材製品と施工環境下にある表層材製品の実物との見映えの違いによって、顧客が困惑するといった問題を防止することができる。
【００５２】
［第３実施形態］
本実施形態では、企業が販売する表層材製品（既製品）を扱う場合について例示的に説明する。本実施形態は、以下の点を除き、第１実施形態と同様の構成を備える。
【００５３】
〔機能構成〕
第３実施形態における情報処理装置１０は、第１実施形態と同様の機能構成（例：図２）を備える。
【００５４】
本実施形態のデータ取得部１１０は、企業が販売する表層材製品（既製品）の製造に用いる下地を印刷するために印刷装置３０が使用する印刷データを、表層材製品の基準データとして取得する。
【００５５】
また、本実施形態の第１データ変化部１２０は、データ取得部１１０が取得した印刷データに対して、第１実施形態で説明した第１の変換処理と共に第３の変換処理を施して、端末２０（ディスプレイ装置）用の表示データを得る。第３の変換処理は、表層材製品の製造過程で生じる当該表層材製品の色変化を予測するためのデータを用いて、その色変化を反映させる方向に印刷データの色情報を変換する処理である。色変化を予測するためのデータは、例えば、表層材製品を試験的に製造することで集めることができる。色変化を予測するためのデータは、所定の記憶部（例えば、情報処理装置１０や情報処理装置１０と通信可能に接続された図示しないサーバ装置のストレージデバイスなど）に記憶されている。また、色変化を予測するためのデータは、例えば関数やテーブルといった形式で記憶されていてもよい。
【００５６】
〔ハードウエア構成〕
本実施形態の情報処理装置１０は、図３に例示される、第１実施形態のハードウエア構成と同様の構成を備える。本実施形態において、ストレージデバイス１０４は、本実施形態の情報処理装置１０の各機能構成部（データ取得部１１０及び第１データ変化部１２０）を実現するためのプログラムモジュールを記憶している。プロセッサ１０２は、このプログラムモジュールをメモリ１０３に読み出して実行することで、第３実施形態の情報処理装置１０の各機能構成部の機能を実現する。
【００５７】
〔動作例〕
以下、図７を用いて、第３実施形態における処理の流れについて説明する。図７は、第３実施形態における情報処理装置１０の処理の流れを例示するフローチャートである。図７の処理では、端末２０で利用される表層材製品の表示データが所定の記憶部（図中の表示データ記憶部４０）に準備される。
【００５８】
データ取得部１１０は、表層材製品の基準データとして、企業が販売する表層材製品（既製品）の模様の印刷パターンを示す印刷データを取得する（Ｓ３０２）。既製品の印刷データは、印刷データ記憶部５０に予め記憶されている。印刷データ記憶部５０は、情報処理装置１０や情報処理装置１０と通信可能に接続された外部装置などに備えられている。なお、新たな表層材製品が追加される場合、印刷データ記憶部５０にはその表層材製品の印刷データが新たに格納される。データ取得部１１０は、新たな表層材製品が追加されたタイミングや表示データの作成指示に関するユーザーの入力操作を受け付けたタイミングなどに応じて、新たな印刷データを取得することができる。
【００５９】
第１データ変化部１２０は、データ取得部１１０が取得した基準データ（印刷データ）に第１の変換処理および第３の変換処理を施して、表示データを得る（Ｓ３０４、Ｓ３０６）。第３の変換処理は、色変化を予測するためのデータを用いて、その色変化を反映させる方向に基準データ（印刷データ）の色情報を変換する処理である。一例として、第１データ変化部１２０は以下のように動作する。まず、第１データ変化部１２０は、メモリやストレージデバイス１０４に記憶されている、色変化を予測するためのデータを読み出す。次いで、第１データ変化部１２０は、色変化を予測するためのデータに基づいて印刷データの色情報に予測した色変化を反映させ、印刷データの色情報を変換する。また、第１の変換処理は、第１実施形態で説明した処理と同様であり、表層材製品の表面の特性と表層材製品の設置場所の環境特性とに基づく光学解析の結果を用いて基準データ（印刷データ）の色値を変換する処理である。
【００６０】
そして、情報処理装置１０の第１データ変化部１２０は、Ｓ３０２で取得された表層材製品の基準データに対してＳ３０４およびＳ３０６の処理を施すことによって生成された表示データを、表示データ記憶部４０に記憶させる（Ｓ３０８）。なお、表示データ記憶部４０は、情報処理装置１０、端末２０、又は、図示しない外部装置のストレージ（ＨＤＤ、ＳＳＤ、フラッシュメモリなど）に備えられている。
【００６１】
以上の処理により、端末２０上で利用される表層材製品の表示データが準備される。
【００６２】
次いで、図８を用いて、本実施形態で準備された表示データを用いた処理の一例を説明する。図８は、第３実施形態で準備された表示データを用いた処理の一例を示すシーケンス図である。図８の処理では、データ準備フローで準備された表層材製品の表示データが端末２０上に表示される。また図８の処理では、顧客が表示データを見て気に入った表層材製品の注文〜製造処理が実行される。
【００６３】
端末２０は、インストールされたアプリケーションやＷｅｂブラウザなどを介して、表示データの検索条件の入力を受け付ける（Ｓ４０２）。ここで入力される条件は、例えば、施工環境下の特性（施工場所の形状、施工場所での視点、光源の有無、光源の種類など）や表層材製品の特性（例えば、表面の特性（色、柄、凹凸など）示すパラメータなど）といった、表示データに対応する解析用パラメータである。端末２０は、入力された検索条件と合致する表示データ（入力に合致する解析用パラメータに紐付けられた表示データ）を表示データ記憶部４０の中から検索する（Ｓ４０４）。端末２０は、表示データ記憶部４０から読み出した表示データを、端末２０のディスプレイ上に表示する（Ｓ４０６）。
【００６４】
顧客は、気に入った表層材製品が見つかるまでＳ４０２〜Ｓ４０６の処理を端末２０上で繰り返し実行し、最終的に注文する表層材製品を決定することができる。注文する表層材製品が決まった場合、印刷装置３０を用いて実際に表層材製品を製造するための注文情報が、情報処理装置１０に送信される（Ｓ４０８）。この注文情報には、表層材製品の特徴（例えば地色、柄、表面の凹凸の度合いなど）を示す情報が少なくとも含まれている。なお、注文情報は、端末２０から情報処理装置１０に直接送信されず、情報処理装置１０の入出力インタフェース１０５に接続された入力装置などを介して入力されてもよい。
【００６５】
情報処理装置１０は、Ｓ４０８の注文情報に含まれる表層材製品の特徴を示す情報に基づいて、印刷データ記憶部５０の中から注文された表層材製品の印刷データを検索する（Ｓ４１０）。情報処理装置１０は、注文情報に含まれる表層材製品の地色や柄といった特徴を示す情報を基に、印刷データ記憶部５０の中から特定した印刷データを含む印刷要求を生成し、当該印刷要求を印刷装置３０に出力する（Ｓ４１２）。
【００６６】
印刷装置３０は、印刷要求に含まれる印刷データを用いて、表層材製品を製造するための印刷紙を印刷する（Ｓ４１４）。印刷装置３０により印刷された印刷紙は、注文情報に応じた加工処理が施されて最終的な表層材製品となった後、施工場所に配置される。
【００６７】
＜作用・効果＞
本実施形態において、第３の変換処理は、表層材製品の製造過程で生じる当該表層材製品の色変化を反映させる方向に印刷データの色情報を変換する処理である。つまり、第３の変換処理が施された印刷データは、製造過程における色変化が生じた表層材製品の見た目に対応するデータとなる。そして、第３の変換処理と共に第１の変換処理を施すことによって、第１実施形態と同様に、施工環境下に表層材製品を置いた状態を再現するシミュレーション画像を表示するための表示データを得ることができる。よって、本実施形態においても、第１実施形態と同様の効果を得ることができる。
【００６８】
［第４実施形態］
本実施形態の情報処理装置１０は、第２実施形態における、印刷データを得る構成を備える。
【００６９】
〔機能構成〕
図９は、第４実施形態における情報処理装置１０の機能構成を概念的に示すブロック図である。図９に示されるように、本実施形態の情報処理装置１０は、データ取得部１１０およびデータ変化部１４０を備える。
【００７０】
本実施形態のデータ取得部１１０は、第２実施形態と同様に、表層材製品の基準データとして、オーダーメイドの表層材製品の見た目（例えば、色や図柄など）を示す画像データを取得する。データ取得部１１０は、例えば、ネットワークまたはコンピュータで読み取り可能な非一時的な媒体を介して、画像データを取得することができる。
【００７１】
データ変化部１４０は、データ取得部１１０が取得した表層材製品の基準データ（画像データ）に対して、第２実施形態で説明した第２の変換処理と同様の変換処理を施して、印刷装置３０用の印刷データを得る。
【００７２】
〔ハードウエア構成〕
本実施形態の情報処理装置１０は、図３に例示される、第１実施形態のハードウエア構成と同様の構成を備える。本実施形態において、ストレージデバイス１０４は、本実施形態の情報処理装置１０の各機能構成部（データ取得部１１０及びデータ変化部１４０）を実現するためのプログラムモジュールを記憶している。プロセッサ１０２は、このプログラムモジュールをメモリ１０３に読み出して実行することで、第４実施形態の情報処理装置１０の各機能構成部の機能を実現する。
【００７３】
〔動作例〕
図１０を用いて、第４実施形態における処理の流れについて説明する。図１０は、第４実施形態における情報処理装置１０の処理の流れを例示するフローチャートである。
【００７４】
情報処理装置１０のデータ取得部１１０は、表層材製品の基準データ（オーダーメイド製品の画像データ）を取得する（Ｓ５０２）。情報処理装置１０のデータ取得部１１０は、例えば、ネットワークインタフェース１０６を介して外部の端末と通信し、表層材製品の基準データを取得することができる。また例えば、データ取得部１１０は、入出力インタフェース１０５を介して、ＵＳＢメモリや光学メディアなどの記憶媒体に記憶されている表層材製品の基準データを取得することができる。
【００７５】
データ変化部１４０は、表層材製品の基準データ（オーダーメイド製品の画像データ）に変換処理を施して、印刷装置３０用の印刷データを得る（Ｓ５０４）。データ変化部１４０は、第２実施形態で説明した処理と同様にして、製造過程における色変化によって表層材製品の実物の見た目がデータ取得部１１０により取得した画像データの見た目に近づくような印刷データを、色変化を予測するためのデータに基づいて逆算することができる。データ変化部１４０は、Ｓ５０４で得られた印刷データを、印刷データ記憶部５０（例えば、メモリ１０３やストレージデバイス１０４など）に記憶する（Ｓ５０６）。情報処理装置１０は、例えば注文指示の受信などをトリガとして、印刷データ記憶部５０に格納された印刷データを読み出し、当該読み出した印刷データを含めた印刷要求を印刷装置３０に送信する（Ｓ５０８）。
【００７６】
本実施形態における構成によっても、第２実施形態と同様の効果を得ることができる。
【００７７】
以上、図面を参照して本発明の実施形態について述べたが、これらは本発明の例示であり、上記以外の様々な構成を採用することもできる。
【００７８】
例えば、第１実施形態の情報処理装置１０の各機能は、複数の装置によって実現されていてもよい。具体的には、第１データ変化部１２０が企業のサーバ装置などで実現され、第２データ変化部１３０は製造現場の端末などで実現されてもよい。
【符号の説明】
【００７９】
１０  情報処理装置
１０１  バス
１０２  プロセッサ
１０３  メモリ
１０４  ストレージデバイス
１０５  入出力インタフェース
１０５１  入力装置
１０５２  ディスプレイ装置
１０６  ネットワークインタフェース
１１０  データ取得部
１２０  第１データ変化部
１３０  第２データ変化部
１４０  データ変化部
２０  端末
３０  印刷装置
４０  表示データ記憶部
５０  印刷データ記憶部
【図１】
2018128352.tif 000003
【図２】
2018128352.tif 000004
【図３】
2018128352.tif 000005
【図４】
2018128352.tif 000006
【図５】
2018128352.tif 000007
【図６】
2018128352.tif 000008
【図７】
2018128352.tif 000009
【図８】
2018128352.tif 000010
【図９】
2018128352.tif 000011
【図１０】
2018128352.tif 000012